(57)【要約】【課題】製作の単純化を図りつつ見開き性にも優れた冊子を提供する。【解決手段】複数枚の中紙２と、これら中紙２の綴元を柔軟性のある糊層３を介して結合する背表紙４と、少なくとも表面部分全域をこの背表紙４の表面部分全域にそれぞれ連続させた表表紙５および裏表紙６とを備え、糊層３に裏打ちされた背表紙４の曲げ強さを、中紙２の中央頁を見開いた時に背表紙４が中紙２の綴元とともに内方へ鋭角的に屈曲変形し得るように設定した。【選択図】図６
2010036369.tif 000002
【特許請求の範囲】
【請求項１】
複数枚の中紙と、これら中紙の綴元を柔軟性のある糊層を介して結合する背表紙と、少なくとも表面部分全域をこの背表紙の表面部分全域にそれぞれ連続させた表表紙および裏表紙とを具備してなり、
前記糊層に裏打ちされた前記背表紙の曲げ強さが、前記中紙の中央頁を見開いた時に前記背表紙が前記中紙の綴元とともに内方へ鋭角的に屈曲変形し得るように設定されていることを特徴とする冊子。
【請求項２】
前記背表紙と前記糊層とによる中紙の結合部分が、無線綴じ構造をなしている請求項１記載の冊子。
【請求項３】
ミシン目を境にして二つ折りにされた中紙を１単位とし、複数単位の中紙が、前記ミシン目に前記糊層を形成するコールドグルータイプの糊の一部を侵入させた状態で綴じられている請求項２記載の冊子。
【請求項４】
前記背表紙が、前記糊層に直に接する１枚の可撓シートにより構成され、前記表表紙および前記裏表紙が、前記背表紙の可撓シートに連続する可撓シートと、この可撓シートの内面に重合させた補強シートとを備えてなるものである請求項１、２又は３記載の冊子。
【請求項５】
前記背表紙が、前記糊層に直に接する背表紙用の内可撓シートと、この内可撓シートの外面に貼着される背表紙用の外可撓シートとから構成され、前記表表紙および前記裏表紙が、前記背表紙用の外可撓シートに連続する可撓シートと、この可撓シートの内面に重合させた補強シートとを備えてなるものである請求項１、２又は３記載の冊子。
【請求項６】
複数枚の中紙と、これら中紙の綴元を柔軟性のある糊層を介して結合する背表紙用の内可撓シートと、綴元側の縁部外面に前記内可撓シートの一端縁部を接合させてなる表表紙用の補強シートと、綴元側の縁部外面に前記内可撓シートの他端縁部を接合させてなる裏表紙用の補強シートとによって冊子本体を構成し、この冊子本体の外面全域に、相互に連続する表表紙用の可撓シートと、背表紙用の外可撓シートと、裏表紙用の可撓シートとを貼着している請求項５記載の冊子。
【請求項７】
前記背表紙が、前記外可撓シートと、この外可撓シートよりも薄い前記内可撓シートとからなっている請求項５又は６記載の冊子。
【請求項８】
前記冊子本体の外面全域に、相互に連続させた表表紙用の可撓シート、背表紙用の外可撓シートおよび裏表紙用の可撓シートを、水分を含有しない接着剤を用いて貼着している請求項６又は７記載の冊子。
【請求項９】
前記接着剤が、表表紙用の可撓シート、背表紙用の外可撓シートおよび裏表紙用の可撓シートの内面にドットパターンをなすように塗布されたものである請求項８記載の冊子。
【請求項１０】
前記可撓シートが、紙に樹脂コーティングを施した素材である請求項４、５、６、７、８又は９記載の冊子。
【請求項１１】
前記中紙が、筆記用の罫線を備えたものである請求項１、２、３、４、５、６、７、８、９又は１０記載の冊子。
【請求項１２】
複数枚の中紙と、これら中紙の綴元を柔軟性のある糊層を介して結合する背表紙と、少なくとも表面部分全域をこの背表紙の表面部分全域にそれぞれ連続させた表表紙および裏表紙とを具備してなり、
前記糊層に裏打ちされた前記背表紙の曲げ強さが、前記中紙の中央頁を見開いた時に前記背表紙が内方へ鋭角的に屈曲変形して前記表表紙の全域と前記裏表紙の全域とを略面一に展開することができるように設定されている冊子。
【請求項１３】
前記糊層に裏打ちされた前記背表紙の曲げ強さを、
前記糊層を上にして表面が平らで均一な面に置き、その上から１００ｇｆの重りを乗せたときの前記表表紙と前記裏表紙との見開き幅および前記均一面からの高さを測定し、それら見開き幅および高さを用いて算定した見開き角度が１５０度〜１８０度となる
ように設定している請求項１、２、３、４、５、６、７、８、９、１０、１１又は１２記載の冊子。
【発明の詳細な説明】
【技術分野】
【０００１】
本発明は、冊子に関するものである。
【背景技術】
【０００２】
従来より、複数枚の中紙と、表面が連続する表表紙、背表紙および裏表紙とを備えた種々の冊子が知られている。比較的廉価な冊子として、複数枚の中紙の綴元を柔軟性の無い又は乏しい固い糊（主なものとしてホットメルト接着剤）層を介して背表紙に結合したものが挙げられる（例えば、下記特許文献を参照）。また、複数枚の中紙の綴元を糸を用いて綴じ、綴元の柔軟性を保つとともに、これら複数枚の中紙を連続する比較的硬い表表紙、背表紙および裏表紙によって覆った上製本が挙げられるが、高価である。
【特許文献１】特開平１０−１２９１４７号公報
【特許文献２】特開平１０−１２９１４８号公報
【発明の開示】
【発明が解決しようとする課題】
【０００３】
しかしながら、前記ホットメルト接着剤を用いた冊子は、柔軟性に乏しい糊層を介して複数枚の中紙を背表紙に結合したものであるため、背表紙自体が変形し難く、見開いた際に中紙の綴元近傍部位が盛り上がった（浮き上がった）状態となり、見開き性が悪いという問題があった。
【０００４】
一方、前記上製本は、見開き性の点においてホットメルト接着剤を用いた冊子よりも優れたものであるが、背表紙自体は、複数枚の中紙の綴元を結合する役割を担うものではなく主として中紙を覆い隠す役割を担うものであり、複数枚の中紙の綴元を糸を用いて綴じる作業とは別に、連続する表表紙、背表紙および裏表紙を取り付ける作業が要求されるため、製作の煩雑化を招来するという不具合があった。
【０００５】
本発明は、このような課題に着目してなされたものであって、主たる目的は、製作の単純化を図りつつ見開き性にも優れた冊子を提供することにある。
【課題を解決するための手段】
【０００６】
すなわち、本発明の冊子は、複数枚の中紙と、これら中紙の綴元を柔軟性のある糊層を介して結合する背表紙と、少なくとも表面部分全域をこの背表紙の表面部分全域にそれぞれ連続させた表表紙および裏表紙とを具備してなり、前記糊層に裏打ちされた前記背表紙の曲げ強さが、前記中紙の中央頁を見開いた時に前記背表紙が前記中紙の綴元とともに内方へ鋭角的に屈曲変形し得るように設定されていることを特徴とする。
【０００７】
具体的には、前記糊層を上にして表面が平らで均一な面に置き、その上から１００ｇｆの重りを乗せたときの前記背表紙と前記裏表紙との見開き幅および前記均一面からの高さを測定し、それら見開き幅および高さを用いて算定した見開き角度が１５０度〜１８０度となるよう、糊層に裏打ちされた背表紙の曲げ強さを設定する。
【０００８】
このようなものであれば、中紙の中央頁を見開いた時に背表紙が中紙の綴元とともに内方へ鋭角的に屈曲変形することにより、良好な見開き性を確保することができるとともに、中紙の綴元を柔軟性のある糊層を介して背表紙に結合するため、糸を用いて複数枚の中紙を綴じる制作工程が不要であり、上製本と比較して製作が簡単であり、コストを抑えることができる。しかも、表表紙、背表紙および裏表紙の各表面部分全域を相互に連続させているため、これら表表紙、背表紙および裏表紙に、連続する共通の画像データや文字列等を印刷する、または共通の表面処理（例えばエンボス加工や本革調や布調にする加工等）を施すことにより、冊子の外観を一体感のあるデザインにすることができ、種々の需要に応じたオリジナリティーに富む冊子、或いは高級仕様の冊子等、高い付加価値を付与した冊子を提供することが可能である。
【０００９】
製作上の手間を有効に削減するには、前記背表紙と前記糊層とによる中紙の結合部分を無線綴じ構造とすればよい。
【００１０】
特に、ミシン目を境にして二つ折りにされた中紙を１単位とし、複数単位の中紙が、前記ミシン目に前記糊層を形成するコールドグルータイプの糊の一部を侵入させた状態で綴じられていれば、見開き時に背表紙が屈曲し得る程度の柔軟性を確保しつつ、各中紙と背表紙との結合強度を向上させることができ、耐久性にも優れたものになる。コールドグルータイプの糊とは、加熱せずにそのまま使用できる糊である。
【００１１】
好適な実施態様としては、前記背表紙が、前記糊層に直に接する１枚の可撓シートにより構成され、前記表表紙および前記裏表紙が、前記背表紙の可撓シートに連続する可撓シートと、この可撓シートの内面に重合させた補強シートとを備えてなるものである態様が挙げられる。このようなものであれば、構造の単純化を図りつつ、これら背表紙、表表紙および裏表紙が中紙の保護機能を発揮し得るものとなる。
【００１２】
また、上記態様とは異なる好適な実施態様としては、前記背表紙が、前記糊層に直に接する背表紙用の内可撓シートと、この内可撓シートの外面に貼着される背表紙用の外可撓シートとから構成され、前記表表紙および前記裏表紙が、前記背表紙用の外可撓シートに連続する可撓シートと、この可撓シートの内面に重合させた補強シートとを備えてなるものである態様が挙げられる。このようなものであれば、それぞれ二層状に形成された背表紙、表表紙および裏表紙が中紙の保護機能を有効に発揮し得るものとなる。
【００１３】
これら好適な実施態様のうち、特に後者の態様においては、複数枚の中紙と、これら中紙の綴元を柔軟性のある糊層を介して結合する背表紙用の内可撓シートと、綴元側の縁部外面に前記内可撓シートの一端縁部を接合させてなる表表紙用の補強シートと、綴元側の縁部外面に前記内可撓シートの他端縁部を接合させてなる裏表紙用の補強シートとによって冊子本体を構成し、この冊子本体の外面全域に、相互に連続する表表紙用の可撓シートと、背表紙用の外可撓シートと、裏表紙用の可撓シートとを貼着していることが望ましい。このようなものであれば、ユニット化された冊子本体を作り置きしておき、需要に応じてデザインを変更した表表紙用の可撓シート、背表紙用の外可撓シートおよび裏表紙用の可撓シートを必要な数だけ冊子本体に貼着して冊子を作製することが可能となり、余分な在庫の発生を抑制することができる。
【００１４】
前記背表紙が、前記外可撓シートと、この外可撓シートよりも薄い内可撓シートとからなっていれば、内可撓シートによって冊子本体をユニット化することができるとともに、背表紙用の外可撓シートがこの内可撓シートのバックアップ部材として機能し、良好な耐久性を有する冊子になる。
【００１５】
さらに、前記冊子本体の外面全域に、相互に連続させた表表紙用の可撓シート、背表紙用の外可撓シートおよび裏表紙用の可撓シートを、水分を含有しない接着剤を用いて貼着していれば、水分を含有する接着剤を用いた場合に特に表表紙および裏表紙に生じ得る不要な反りを防止することができる。なお、本明細書において、接着剤とは粘着剤をも含んだ概念である。
【００１６】
特に、前記接着剤が、表表紙用の可撓シート、背表紙用の外可撓シートおよび裏表紙用の可撓シートの内面にドットパターンをなすように塗布されたものであれば、これら表表紙用の可撓シート、背表紙用の外可撓シートおよび裏表紙用の可撓シートを冊子本体の外面全域に貼着する際に空気が逃げて泡が残らないきれいな表表紙、背表紙および裏表紙を形成することができる。
【００１７】
良好な質感や手触り感を実現するためには、前記可撓シートとして、紙に樹脂コーティングを施した素材を適用すればよい。
【００１８】
また、前記中紙が、筆記用の罫線を備えたものであれば、罫線により筆記領域が確保され、筆記に適した冊子を提供することができる。
【００１９】
そして、筆記に適した冊子としては、複数枚の中紙と、これら中紙の綴元を柔軟性のある糊層を介して結合する背表紙と、少なくとも表面部分全域をこの背表紙の表面部分全域にそれぞれ連続させた表表紙および裏表紙とを具備してなり、前記糊層に裏打ちされた前記背表紙の曲げ強さが、前記中紙の中央頁を見開いた時に前記背表紙が内方へ鋭角的に屈曲変形して前記表表紙の全域と前記裏表紙の全域とを略面一に展開することができるように設定されているものが挙げられる。このようなものであれば、見開いた際に表表紙および裏表紙の全域又は略全域が共通の平坦面に接した状態となり、見開き性の向上を図ることができるとともに、安定した見開き状態を維持することができ、特に中紙のうち綴元側の領域への筆記も適切に行うことができる。
【発明の効果】
【００２０】
以上説明したように本発明によれば、製作の単純化を図りつつ見開き性にも優れた冊子を提供することができる。
【発明を実施するための最良の形態】
【００２１】
以下、本発明の一実施形態を、図面を参照して説明する。
【００２２】
＜第１実施形態＞第１実施形態に係る冊子１は、図１〜図４等に示すように、複数枚の中紙２と、これら中紙２の綴元を柔軟性のある糊層３を介して結合する背表紙４と、表面部分全域をこの背表紙４の表面部分全域にそれぞれ連続させた表表紙５および裏表紙６とを具備したものである。
【００２３】
中紙２は、図２および図３に示すように、ミシン目２１を境にして二つ折りにされたものを１単位とするものであり、１単位が例えばＡ４やＢ５等の規格に対応した長方形又は略長方形状をなすものである。複数単位の中紙２が、前記ミシン目２１に糊層３を形成するコールドグルータイプの糊の一部を侵入させた状態で綴じられている。ここでは、コールドグルータイプの一種である水性エマルジョン糊を用いて糊層３を形成するものとする。そして、これら中紙２の綴元を柔軟性のある糊層３を介して背表紙４に直接結合している。つまり、背表紙４と糊層３とによる中紙２の結合部分は、無線綴じ構造をなしている。各中紙２には、筆記用の罫線２２が印刷されている。これにより、本実施形態に係る冊子１は、筆記用ノートとしての用途に適したものとなる。
【００２４】
背表紙４は、図３に示すように、糊層３に直に接する１枚の可撓シート（以下「背表紙用可撓シート４１」と称す）により構成されたものである。本実施形態では、背表紙用可撓シート４１として、紙に樹脂コーティングを施した素材を適用している。
【００２５】
表表紙５および裏表紙６は、図３に示すように、それぞれ背表紙用可撓シート４１に連続する可撓シート（以下「表表紙用可撓シート５１」、「裏表紙用可撓シート６１」と称す）と、これら表表紙用可撓シート５１および裏表紙用可撓シート６１の内面にそれぞれ重ね合せた補強シート（以下「表表紙用補強シート５２」、「裏表紙用補強シート６２」と称す）とにより構成されたものである。表表紙用補強シート５２および裏表紙用補強シート６２は、表表紙用可撓シート５１および裏表紙用可撓シート６１とともに中紙２を保護し得る機能を有するものである。本実施形態では、表表紙用補強シート５２および裏表紙用補強シート６２として板紙を適用している。この板紙は無地、好ましくは白色無模様のものとする。表表紙用可撓シート５１および裏表紙用可撓シート６１は、水分を含有しない接着剤（粘着材）７によって表表紙用補強シート５２および裏表紙用補強シート６２にそれぞれ貼着している。本実施形態では、表表紙用可撓シート５１および裏表紙用可撓シート６１の内面に前記接着剤７をドットパターンをなすように塗布している（図３参照）。補強シート５２、６２は紙であり、可撓シート４１、５１、６１の内面も紙であるので、補強シート５２、６２に可撓シート４１、５１、６１を接着するときの接着性は十分に確保されている。
【００２６】
これら相互に連続する表表紙用可撓シート５１、背表紙用可撓シート４１および裏表紙用可撓シート６１により、表表紙５および裏表紙６の各表面部分全域が背表紙４の表面部分全域にそれぞれ連続したものとなる。そして、図４に示すように、これら連続する表表紙５、背表紙４および裏表紙６の表面に、連続する共通の画像データを印刷している。つまり、表表紙用可撓シート５１、背表紙用可撓シート４１および裏表紙用可撓シート６１の表面に、連続する共通の画像データを印刷している。また、本実施形態では、表表紙５および裏表紙６の表面にそれぞれ文字列を印刷している。なお、これら表表紙５、背表紙４および裏表紙６の表面に、連続する共通の画像データを印刷することに加えて又は代えて、これら表表紙５、背表紙４および裏表紙６に共通の表面処理、例えばエンボス加工処理や、本革調又は布調にする加工処理を施す等して、冊子１の外観上のデザインを種々の需要に対応できるようにしている。
【００２７】
このような構成をなす本実施形態に係る冊子１は、図４〜図６に示すように、所望の中紙２を見開いた時に柔軟性のある糊層３の特性により背表紙４自体が屈曲変形する。なお、図４は、閉じた状態と見開き状態との略中間状態にある冊子１を背面側から見た図である。
【００２８】
そして、図５に示すように、前記糊層３に裏打ちされた背表紙４の曲げ強さを、中紙２の中央頁を見開いた時に背表紙４が中紙２の綴元とともに内方へ鋭角的に屈曲変形し得るように設定している。なお、「内方へ鋭角的に屈曲変形」とは、図６に示すように、内方へ鋭角に屈曲変形する事象はもちろんのこと、図７に示すように、屈曲部分に丸みを帯びるように内方へ鋭角的に屈曲変形する事象も含む概念である。つまり、「内方へ鋭角的に屈曲変形し得る」とは、内方へＶ字状又は略Ｖ字状に屈曲変形し得る事象と、内方へＵ字状又は略Ｕ字状に屈曲変形し得る事象の両方を意味するものである。さらに、「内方へ鋭角的に屈曲変形」とは、屈曲部分の折れ角度が９０度未満であればよく、屈曲部分の折れ角度が０度以下の事象（図示省略）も含む概念である。
【００２９】
また、この冊子１は、図５〜図７に示すように、中紙２の中央頁を見開いた時に表表紙５の全域と裏表紙６の全域とを略面一に展開することができるように設定されている。「前記表表紙５の全域と前記裏表紙６の全域とを略面一に展開することができる」とは、見開き時に自重により表表紙５の全域と裏表紙６の全域とが共通の平坦面８に略密着することになる事象と、自重に加え冊子１を破壊しない範囲の力で押圧して表表紙５の全域と裏表紙６の全域とを共通の平坦面８に略密着させることができる事象の両方を意味するものである。
【００３０】
このように、本実施形態に係る冊子１は、糊層３に裏打ちされた背表紙４の曲げ強さを、中紙２の中央頁を見開いた時に背表紙４が中紙２の綴元とともに内方へ鋭角的に屈曲変形し得るように設定しているため、良好な見開き性を確保することができるとともに、糸を用いて複数枚の中紙２を綴じる制作工程が不要であり、上製本と比較して低コストに抑えることができる。しかも、表表紙５、背表紙４および裏表紙６の各表面部分全域を相互に連続させているため、これら表表紙５、背表紙４および裏表紙６に連続する共通の画像データを印刷する、または共通の表面処理（例えばエンボス加工や本革調や布調にする加工等）を施すことにより、冊子１の外観上のデザインを種々の需要に応じて柔軟に変更することができ、オリジナリティーに富む冊子、或いは高級仕様の冊子等、高い付加価値を付与した冊子１を提供することが可能である。
【００３１】
特に、ミシン目２１を境にして二つ折りにされた中紙２を１単位とし、複数単位の中紙２が、前記ミシン目２１に前記糊層３を形成するコールドグルータイプの糊の一部を侵入させた状態で綴じられているため、見開き時に背表紙４が屈曲し得る程度の柔軟性を確保しつつ、各中紙２と背表紙４との結合強度を向上させることができ、耐久性にも優れたものである。
【００３２】
さらに、背表紙４が、糊層３に直に接する１枚の背表紙用可撓シート４１により構成され、表表紙５および裏表紙６が、背表紙用可撓シート４１に連続する表表紙用可撓シート５１、裏表紙用可撓シート６１と、これら可撓シート５１、６１の内面に重合させた表表紙用補強シート５２、裏表紙用補強シート６２とを備えたものであるため、背表紙４自体の構造を単純化することができるとともに、二層状に形成された表表紙５および裏表紙６が背表紙４とともに中紙２の保護機能を有効に発揮し得るものとなる。
【００３３】
水分を含有しない接着剤７によって表表紙用可撓シート５１および裏表紙用可撓シート６１の全域又は略全域を表表紙用補強シート５２および裏表紙用補強シート６２に貼着しているため、水分を含有する接着剤を用いた場合に生じ得る表表紙５および裏表紙６の不要な反りを防止することができる。しかも、接着剤７をドットパターンをなすように塗布しているため、貼着する際に空気が逃げて泡が残らないきれいな表表紙５および裏表紙６を形成することができる。
【００３４】
また、中紙２が、筆記用の罫線２２を備えたものであるため、罫線２２によって筆記領域が確保された筆記用の冊子１、つまりノートとしての用途に適した冊子１となり、見開き性が優れていることにより、書きやすさが格段に向上する。
【００３５】
加えて、糊層３に裏打ちされた背表紙４の曲げ強さが、中紙２の中央頁を見開いた時に背表紙４が内方へ鋭角的に屈曲変形して表表紙５の全域と裏表紙６の全域とを略面一に展開することができるように設定されているため、共通の平坦面８上において見開いた際に表表紙５および裏表紙６の全域又は略全域が共通の平坦面８に接した状態となり、見開き性の更なる向上を図ることができるとともに、安定した見開き状態を維持することができ、特に中紙２のうち綴元側部分への筆記もスムーズ且つ適切に行うことができる。
【００３６】
＜第２実施形態＞第２実施形態に係る冊子Ａ１は、図８〜図１０等に示すように、前記第１実施形態に係る冊子１と比較して、背表紙Ａ４が、糊層Ａ３に直に接する背表紙用の内可撓シート（以下、「背表紙用内可撓シートＡ４１」と称す）と、この背表紙用内可撓シートＡ４１の表面に貼着される背表紙用の外可撓シート（以下、「背表紙用外可撓シートＡ４２」と称す）とから構成され、表表紙Ａ５および裏表紙Ａ６が、背表紙用外可撓シートＡ４２に連続する可撓シート（以下、「表表紙用可撓シートＡ５１」、「裏表紙用可撓シートＡ６１」と称す）と、この可撓シートＡ５１、Ａ６１の内面に重合させた補強シート（以下「表表紙用補強シートＡ５２」、「裏表紙用補強シートＡ６２」と称す）とを備えてなるものであるという点で構成上の差異を有している。なお、以下の説明および図８〜図１４では、前記第１実施形態の冊子１の各部位に対応する部位には、それぞれ符号の頭に「Ａ」を付して示す。
【００３７】
具体的には、この第２実施形態に係る冊子Ａ１は、複数枚の中紙Ａ２と、これら中紙Ａ２の綴元を柔軟性のある糊層Ａ３を介して結合する薄紙様の背表紙用内可撓シートＡ４１と、綴元側の縁部外面に前記背表紙用内可撓シートＡ４１の一端縁部を接合させてなる表表紙用補強シートＡ５２と、綴元側の縁部外面に前記背表紙用内可撓シートＡ４１の他端縁部を接合させてなる裏表紙用補強シートＡ６２とによって冊子本体Ａ９を構成している（図１２参照）。
【００３８】
中紙Ａ２は、ミシン目Ａ２１を境にして二つ折りにされたものを１単位とするものである点、ミシン目Ａ２１に糊層Ａ３を形成するコールドグルータイプの糊の一部を侵入させた状態で綴じられている点、筆記用の罫線Ａ２２が複数段印刷している点等、第１実施形態で示したものと同様又は略同様のものであり、詳細な説明は省略する。
【００３９】
背表紙用内可撓シートＡ４１は、背表紙用外可撓シートＡ４２よりも薄く、また柔らかい。本実施形態において、内可撓シートＡ４１は、単独では使用に耐え得る中紙綴じ強度を発揮し得ないものである。本実施形態では、背表紙用内可撓シートＡ４１の両端縁部を表表紙用補強シートＡ５２および裏表紙用補強シートＡ６２の綴元側の縁部外面に重なり合うように折り曲げている。
【００４０】
表表紙用補強シートＡ５２および裏表紙用補強シートＡ６２は、それぞれ板紙である。この板紙は無地、好ましくは白色無模様のものとする。表表紙用補強シートＡ５２および裏表紙用補強シートＡ６２のうち、折り曲げた背表紙用内可撓シートＡ４１の端縁部に重なる綴元側の縁部外面を、該背表紙用内可撓シートＡ４１の各端縁部に貼着している。内可撓シートＡ４１と補強シートＡ５２、Ａ６２とはともに紙であり、互いを接着するときの接着性は十分に確保されている。
【００４１】
このような構成をなす冊子本体Ａ９は、背表紙用内可撓シートＡ４１が単独では使用に耐え得る中紙綴じ強度を発揮し得ないものであるため、単独では使用に適した耐久性を有するものではないが、背表紙用内可撓シートＡ４１によりユニット化されたものである。
【００４２】
そして、図１１および図１２に示すように、冊子本体Ａ９の外面全域又は略全域に、相互に連続する表表紙用可撓シートＡ５１、背表紙用外可撓シートＡ４２および裏表紙用可撓シートＡ６１を貼着することにより、使用に適した耐久性を有する冊子Ａ１となる。具体的には、冊子本体Ａ９の外面全域又は略全域に、相互に連続する表表紙用可撓シートＡ５１、背表紙用外可撓シートＡ４２および裏表紙用可撓シートＡ６１を、水分を含有しない接着剤Ａ７を用いて貼着している。本実施形態では、表表紙用可撓シートＡ５１、背表紙用外可撓シートＡ４２および裏表紙用可撓シートＡ６１の内面に接着剤Ａ７をドットパターンをなすように塗布している（図１０参照）。表表紙用可撓シートＡ５１、背表紙用外可撓シートＡ４２および裏表紙用可撓シートＡ６１は、紙に樹脂コーティングを施した共通の素材からなる。内可撓シートＡ４１は非常に薄いので、内可撓シートＡ４１の外面と補強シートＡ５２、Ａ６２の外面との段差も非常に小さく、接着した外可撓シートＡ５１、Ａ６１にも（内可撓シートＡ４１の外面と補強シートＡ５２、Ａ６２の外面との段差に起因する）目立った段差は発生しない。内可撓シートＡ４１、補強シートＡ５２、Ａ６２、並びに外可撓シートＡ４２、Ａ５１、Ａ６１の内面は何れも紙であり、内可撓シートＡ４１および補強シートＡ５２、Ａ６２に外可撓シートＡ４２、Ａ５１、Ａ６１を接着するときの接着性は十分に確保されている。
【００４３】
これら相互に連続する表表紙用可撓シートＡ５１、背表紙用外可撓シートＡ４２および裏表紙用可撓シートＡ６１により、表表紙Ａ５および裏表紙Ａ６の各表面部分全域が背表紙Ａ４の表面部分全域にそれぞれ連続したものとなる。そして、図１１および図１２に示すように、これら連続する表表紙Ａ５、背表紙Ａ４および裏表紙Ａ６の表面に、連続する共通の画像データを印刷している。つまり、表表紙用可撓シートＡ５１、背表紙用外可撓シートＡ４２および裏表紙用可撓シートＡ６１の表面に、連続する共通の画像データを印刷している。また、本実施形態では、表表紙用可撓シートＡ５１および裏表紙用可撓シートＡ６１の表面にそれぞれ文字列を印刷している。なお、これら表表紙Ａ５、背表紙Ａ４および裏表紙Ａ６の表面に、連続する共通の画像データを印刷することに加えて又は代えて、これら表表紙Ａ５、背表紙Ａ４および裏表紙Ａ６に共通の表面処理、例えばエンボス加工処理や、本革調又は布調にする加工処理を施す等して冊子Ａ１の外観上のデザインを種々の需要に対応できるようにしている。
【００４４】
このような構成をなす本実施形態に係る冊子Ａ１は、図１１、図１３および図１４に示すように、所望の中紙Ａ２を見開いた時に柔軟性のある糊層Ａ３の特性により背表紙Ａ４自体が屈曲変形する。なお、図１１は、閉じた状態と見開き状態との略中間状態にある冊子Ａ１を背面側から見た図である。
【００４５】
そして、図１３に示すように、前記糊層Ａ３に裏打ちされた背表紙Ａ４の曲げ強さを、中紙Ａ２の中央頁を見開いた時に背表紙Ａ４が中紙Ａ２の綴元とともに内方へ鋭角的に屈曲変形し得るように設定している。なお、「内方へ鋭角的に屈曲変形」とは、図１４に示すように、内方へ鋭角に屈曲変形する事象はもちろんのこと、屈曲部分に丸みを帯びるように内方へ鋭角的に屈曲変形する事象（図示省略）も含む概念である。つまり、「内方へ鋭角的に屈曲変形し得る」とは、内方へＶ字状又は略Ｖ字状に屈曲変形し得る事象と、内方へＵ字状又は略Ｕ字状に屈曲変形し得る事象の両方を意味するものである。さらに、「内方へ鋭角的に屈曲変形」とは、屈曲部分の折れ角度が９０度未満であればよく、屈曲部分の折れ角度が０度以下の事象（図示省略）も含む概念である。
【００４６】
また、この冊子Ａ１は、中紙Ａ２の中央頁を見開いた時に前記表表紙Ａ５の全域と前記裏表紙Ａ６の全域とを略面一に展開することができるように設定されている。「前記表表紙Ａ５の全域と前記裏表紙Ａ６の全域とを略面一に展開することができる」とは、見開き時に自重により表表紙Ａ５の全域と裏表紙Ａ６の全域とが共通の平坦面８に略密着することになる事象と、自重に加え冊子Ａ１を破壊しない範囲の力で押圧して表表紙Ａ５の全域と裏表紙Ａ６の全域とを共通の平坦面８に略密着させることができる事象の両方を意味するものである。
【００４７】
このように、第２実施形態に係る冊子Ａ１も、第１実施形態に係る冊子１と同様に、糊層Ａ３に裏打ちされた背表紙Ａ４の曲げ強さを、中紙Ａ２の中央頁を見開いた時に背表紙Ａ４が中紙Ａ２の綴元とともに内方へ鋭角的に屈曲変形し得るように設定しているため、良好な見開き性を確保することができるとともに、糸を用いて複数枚の中紙２を綴じる制作工程が不要であり、上製本と比較して低コストに抑えることができる。しかも、表表紙Ａ５、背表紙Ａ４および裏表紙Ａ６の各表面部分全域を相互に連続させているため、これら表表紙Ａ５、背表紙Ａ４および裏表紙Ａ６に連続する共通の画像データを印刷する、または共通の表面処理（例えばエンボス加工や本革調や布調にする加工等）を施すことにより、冊子Ａ１の外観上のデザインを種々の需要に応じて柔軟に変更することができ、オリジナリティーに富む冊子、或いは高級仕様の冊子等、高い付加価値を付与した冊子Ａ１を提供することが可能である。
【００４８】
さらに、背表紙Ａ４が、糊層Ａ３に直に接する背表紙用内可撓シートＡ４１と、この背表紙用内可撓シートＡ４１の外面に貼着される背表紙用外可撓シートＡ４２とから構成され、前記表表紙Ａ５および前記裏表紙Ａ６が、前記背表紙用外可撓シートＡ４２に連続する表表紙用可撓シートＡ５１、裏表紙用可撓シートＡ６１と、この可撓シートＡ５１、Ａ６１の内面に重ね合わせた表表紙用補強シートＡ５２、裏表紙用補強シートＡ６２とを備えてなるものであるため、それぞれ二層状に形成された背表紙Ａ４、表表紙Ａ５および裏表紙Ａ６によって中紙Ａ２の保護機能を有効に発揮し得るものとなる。
【００４９】
また、複数枚の中紙Ａ２と、これら中紙Ａ２の綴元を柔軟性のある糊層Ａ３を介して結合する背表紙用内可撓シートＡ４１と、綴元側の縁部外面に背表紙用内可撓シートＡ４１の一端縁部を接合させてなる表表紙用補強シートＡ５２と、綴元側の縁部外面に背表紙用内可撓シートＡ４１の他端縁部を接合させてなる裏表紙用補強シートＡ６２とによって冊子本体Ａ９を構成し、この冊子本体Ａ９の外面全域に、相互に連続する表表紙用可撓シートＡ５１と、背表紙用外可撓シートＡ４２と、裏表紙用可撓シートＡ６１とを貼着したものであるため、ユニット化された冊子本体Ａ９を作り置きしておき、需要に応じてデザインを変更した連続する表表紙用可撓シートＡ５１、背表紙用外可撓シートＡ４２および裏表紙用可撓シートＡ６１を必要な数だけ冊子本体Ａ９に貼着して冊子１を作製することが可能となり、在庫リスクの軽減化を図ることができる。
【００５０】
特に、背表紙４が、背表紙用外可撓シートＡ４２と、この背表紙用外可撓シートＡ４２よりも薄く単独では使用に耐え得る中紙綴じ強度を発揮し得ない背表紙用内可撓シートＡ４１とからなっているため、背表紙用内可撓シートＡ４１によって冊子本体Ａ９をユニット化することができるとともに、背表紙用外可撓シートＡ４２がこの背表紙用内可撓シートＡ４１のバックアップ部材として機能し、良好な耐久性を有する冊子１になる。
【００５１】
また、冊子本体Ａ９の外面全域に、相互に連続させた表表紙用可撓シートＡ５１、背表紙用外可撓シートＡ４２および裏表紙用可撓シートＡ６１を、水分を含有しない接着剤Ａ７を用いて貼着しているため、水分を含有する接着剤を用いた場合に特に表表紙５および裏表紙６に生じ得る不要な反りを防止することができる。しかも、接着剤Ａ７が、表表紙用可撓シートＡ５１、背表紙用外可撓シートＡ４２および裏表紙用可撓シートＡ６１の内面にドットパターンをなすように塗布されたものであるため、貼着する際に空気が逃げて泡が残らないきれいな表表紙Ａ５、背表紙Ａ４および裏表紙Ａ６を形成することができる。
【００５２】
さらに、相互に連続させた表表紙用可撓シートＡ５１、背表紙用外可撓シートＡ４２および裏表紙用可撓シートＡ６１が、紙に樹脂コーティングを施した素材であるため、質感や手触りが良い冊子Ａ１を提供することができる。
【００５３】
さらに、第１実施形態係る冊子１と同様の効果として、ミシン目Ａ２１を境にして二つ折りにされた中紙Ａ２を１単位とし、複数単位の中紙Ａ２が、前記ミシン目Ａ２１に前記糊層Ａ３を形成するコールドグルータイプの糊の一部を侵入させた状態で綴じられているため、見開き時に背表紙Ａ４が屈曲し得る程度の柔軟性を確保しつつ、各中紙Ａ２と背表紙Ａ４との結合強度を向上させることができ、耐久性にも優れたものである点、中紙Ａ２が筆記用の罫線Ａ２２を備えたものであるため、罫線Ａ２２によって筆記領域が確保された筆記用の冊子Ａ１、つまりノートとしての用途に適した冊子Ａ１となり、見開き性が優れていることにより、書きやすさが格段に向上する点が挙げられる。
【００５４】
加えて、糊層Ａ３に裏打ちされた背表紙Ａ４の曲げ強さが、中紙Ａ２の中央頁を見開いた時に背表紙Ａ４が内方へ鋭角的に屈曲変形して表表紙Ａ５の全域と裏表紙Ａ６の全域とを略面一に展開することができるように設定されているため、共通の平坦面８上において見開いた際に表表紙Ａ５および裏表紙Ａ６の全域又は略全域が共通の平坦面８に接した状態となり、見開き性の更なる向上を図ることができるとともに、安定した見開き状態を維持することができ、特に中紙Ａ２のうち綴元側の領域への筆記もスムーズ且つ適切に行うことができる。
【００５５】
以降、冊子１、Ａ１の背表紙４、Ａ４が備えるべき柔軟性、見開き性に関して補足する。テストピースとして、冊子１、Ａ１と同等の基本構造を有したサンプル（１）、（２）と、従来のホットメルト糊製本によるサンプル（３）、（４）、（５）とを用い、下記の試験を行う。サンプルの寸法は表紙幅１２０ｍｍ、表紙高さ９０ｍｍで、サンプル（１）の中紙は３０枚、サンプル（２）の中紙は１００枚、サンプル（３）の中紙は９６枚、サンプル（４）の中紙は８８枚、サンプル（５）の中紙は２４枚である。また、各サンプルの背幅、いわば冊子１、Ａ１の厚みｔについては、サンプル（１）は３．９ｍｍ、サンプル（２）は１０．８ｍｍ、サンプル（３）は６．５ｍｍ、サンプル（４）は９．５ｍｍ、サンプル（５）は２．９ｍｍである。
【００５６】
これら各サンプルを、室温２３℃、湿度５０％の環境下で、表面が平らで均一な金属面上に、冊子１、Ａ１の略中央の頁を開いて背表紙４、Ａ４が上になるようにして置く。しかして、その上から所定重量の重り９を乗せた状態で、図１６に示す表表紙の外側縁から裏表紙の外側縁までの見開き幅Ｌ、および均一面から背表紙４、Ａ４の上縁までの高さｈを計測する。ここでは、重り９の重さを１００ｇｆとする。さらに、計測した見開き幅Ｌおよび高さｈを基に、見開き角度θを算定する。簡易な見開き角度θの計算式は、
θ≒２ｔａｎ-1｛（Ｌ／２）／ｈ｝＝２ｔａｎ-1（Ｌ／２ｈ）
である。各サンプル（１）、（２）、（３）、（４）、（５）を３冊ずつ用意して試験した結果を、図１７に示す。サンプルに重り９を乗せたとき、コールドグルー糊製本であるサンプル（１）、（２）は、重りを乗せていないときと比較して高さｈが約１／２〜１／１０になる。一方、ホットメルト糊製本であるサンプル（３）、（４）、（５）では、高さｈが約１／２〜１／３になる。全体的に、ホットメルト糊製本の方が高さｈが高く、見開き角度θが小さい。
【００５７】
サンプルの背幅ｔを加味し、（理想的には見開き角度θ＝１８０度となるときにｈ＝ｔ／２となることに基づき）より精確な見開き角度θを算定するようにしてもよい。この場合の見開き角度θの計算式は、
θ≒２ｔａｎ-1｛（Ｌ／２）／（ｈ−ｔ／２）｝＝２ｔａｎ-1｛Ｌ／（２ｈ−ｔ）｝
となる。各サンプル（１）、（２）、（３）、（４）、（５）のより精確な見開き角度θを、図１８に示す。
【００５８】
ノート等としての使用感は、サンプル（３）、（４）、（５）よりもサンプル（１）、（２）の方が優れている。従って、冊子１、Ａ１の背表紙４、Ａ４の柔軟性、換言すれば背表紙４、Ａ４の曲げ強さは、背表紙４、Ａ４側に１００ｇｆの重り９を乗せたときの見開き幅Ｌおよび高さｈを用いて算定される見開き角度θが１５０度以上、より好ましくは１６０度〜１８０度となるように設定することが望ましい。
【００５９】
上記では、見開き角度θを指標に背表紙４、Ａ４の曲げ強さを定義したが、Ｌとｈとの比、あるいはＬと（ｈ−ｔ／２）との比を指標として、背表紙４、Ａ４の曲げ強さを定義しても構わない。Ｌ／ｈ、およびＬ／（ｈ−ｔ／２）の値を、図１８に示している。これらの比は最低でも１０、特にＬ／（ｈ−ｔ／２）は１８〜２０以上であることが望ましい。
【００６０】
なお、本発明は以上に詳述した各実施形態に限られるものではない。例えば、図１５に示すように、背表紙Ｂ４が、糊層Ｂ３に直に接する１枚の樹脂製の可撓シートＢ４１により構成され、表表紙Ｂ５および裏表紙Ｂ６が、背表紙４の可撓シートＢ４１に連続する１枚の樹脂製の可撓シートＢ５１、Ｂ６１により構成されたものであってもよい。この場合、背表紙用の可撓シートＢ４１を、表表紙用の可撓シートＢ５１および裏表紙用の可撓シートＢ６１よりも薄く設定すれば、見開き時における背表紙Ｂ４の変形容易性を確保することができる（図１５では、背表紙用の可撓シートＢ４１、表表紙用の可撓シートＢ５１および裏表紙６の可撓シートＢ６１が全て同一厚み寸法を有する態様を示している）。なお、図１５では、前記第１実施形態の冊子１の各部位に対応する部位には、それぞれ符号の頭に「Ｂ」を付して示す。
【００６１】
また、ノート以外の用途、例えば、日記帳や手帳としての用途に適した冊子、或いはカタログ等の主として閲覧に供される冊子であっても構わない。各用途に合わせて、中紙のデザインも適宜変更すればよい。
【００６２】
柔軟性のある糊層を形成する糊として、水性エマルジョン以外の糊を使用することができる。さらには、図６、図７、図１４、図１７に示しているような柔軟性、見開き性を確保できるのであれば、コールドグルータイプでない糊を採用しても構わない。にかわ糊は、コールドグルータイプではないが、本発明を実施するのに必要な柔軟性を具現し得るものの一例である。
【００６３】
その他、各部の具体的構成についても上記各実施形態に限られるものではなく、本発明の趣旨を逸脱しない範囲で種々変形が可能である。
【図面の簡単な説明】
【００６４】
【図１】本発明の第１実施形態に係る冊子の全体斜視図。
【図２】同実施形態に係る冊子の見開いた状態を示す全体斜視図。
【図３】同実施形態係る冊子の要部拡大断面を模式的に示す図。
【図４】同実施形態において閉じた状態と見開いた状態との略中間状態にある冊子を背面側から見た図。
【図５】同実施形態に係る冊子の見開いた状態を模式的に示す図。
【図６】図５の要部拡大を図３に対応させて示す図。
【図７】同実施形態に係る冊子を見開いた際における図６とは異なる背表紙の屈曲変形度合を示す図。
【図８】本発明の第２実施形態に係る冊子の全体斜視図。
【図９】同実施形態に係る冊子の見開いた状態を示す全体斜視図。
【図１０】同実施形態に係る冊子の要部拡大断面を模式的に示す図。
【図１１】同実施形態において閉じた状態と見開いた状態との略中間状態にある冊子を背面側から見た図。
【図１２】同実施形態に係る冊子の分解斜視図。
【図１３】同実施形態に係る冊子の見開いた状態を模式的に示す図。
【図１４】図１３の要部拡大を図１１に対応させて示す図。
【図１５】本発明の係る冊子の一変形例を図３に対応させて示す図。
【図１６】糊層に裏打ちされた背表紙の曲げ強さの計測手法を例示する図。
【図１７】背表紙の曲げ強さの測定試験結果を例示する図。
【図１８】背表紙の曲げ強さの測定試験結果を例示する図。
【符号の説明】
【００６５】
１、Ａ１、Ｂ１…冊子
２、Ａ２、Ｂ２…中紙
２１、Ａ２１、Ｂ２１…ミシン目
２２、Ａ２２…罫線
３、Ａ３、Ｂ３…糊層
４、Ａ４、Ｂ４…背表紙
４１…背表紙用可撓シート
５、Ａ５、Ｂ５…表表紙
５１、Ａ５１…表表紙用可撓シート
５２、Ａ５２…表表紙用補強シート
６、Ａ６、Ｂ６…裏表紙
６１、Ａ６１…裏表紙用可撓シート
６２、Ａ６２…裏表紙用補強シート
７、Ａ７…接着剤
Ａ４１…背表紙用内可撓シート
Ａ４２…背表紙用外可撓シート
Ａ９…冊子本体
【図１】
2010036369.tif 000003
【図２】
2010036369.tif 000004
【図３】
2010036369.tif 000005
【図４】
2010036369.tif 000006
【図５】
2010036369.tif 000007
【図６】
2010036369.tif 000008
【図７】
2010036369.tif 000009
【図８】
2010036369.tif 000010
【図９】
2010036369.tif 000011
【図１０】
2010036369.tif 000012
【図１１】
2010036369.tif 000013
【図１２】
2010036369.tif 000014
【図１３】
2010036369.tif 000015
【図１４】
2010036369.tif 000016
【図１５】
2010036369.tif 000017
【図１６】
2010036369.tif 000018
【図１７】
2010036369.tif 000019
【図１８】
2010036369.tif 000020